(57)【特許請求の範囲】
【請求項１】
トレイと、
前記トレイに収納され、光の伝送、投光及び受光をするプローブと、
前記プローブの校正の際に前記プローブから出射した光が照射される校正用ターゲットと、
前記プローブ、前記校正用ターゲット及び前記トレイを包み込んだ包装袋と、を備え、
前記トレイが、トレイ本体と、前記トレイ本体の上面に凹設されたリング状のケーブル収納部と、前記トレイ本体の上面に凹設され、前記ケーブル収納部に繋がり、前記ケーブル収納部から前記ケーブル収納部の接線方向に延びたコネクタ収納部と、前記トレイ本体の上面に凹設され、前記ケーブル収納部に繋がり、前記ケーブル収納部から前記ケーブル収納部の接線方向に延びた先端部収納部と、を有し、
前記プローブが、光の伝送を行うケーブル本体部と、前記ケーブル本体部の基端に連結され、光の入出力を行うコネクタと、前記ケーブル本体部の先端に連結され、投光及び受光を行う投光受光部と、を有し、
前記投光受光部が前記先端部収納部に収納され、前記ケーブル本体部が前記ケーブル収納部に収納され、前記コネクタがコネクタ収納部に収納され、
前記校正用ターゲットが前記投光受光部の先端に正対するようにして前記先端部収納部内に配置されている、診断用プローブ包装物。
【請求項２】
前記投光受光部の上から前記先端部収納部に嵌め込まれた遮光材を更に備える、請求項１の診断用プローブ包装物。
【請求項３】
前記先端部収納部の内壁に貼着され、前記投光受光部を包み込んだ遮光シートを更に備える、請求項１又は２に記載の診断用プローブ包装物。
【請求項４】
前記投光受光部の先端に正対するようにして前記先端部収納部内に配置され、前記校正用ターゲットと前記投光受光部の間に配置された第二校正用ターゲットを更に備える、請求項１から３の何れか一項に記載の診断用プローブ包装物。
【請求項５】
前記先端部収納部の中から前記先端部収納部の外まで前記遮光材を貫通したストリップと、
前記ストリップに貼着され、前記投光受光部の先端に正対するようにして前記先端部収納部内に配置され、前記校正用ターゲットと前記投光受光部の間に配置された第二校正用ターゲットと、を更に備える、請求項２に記載の診断用プローブ包装物。
【請求項６】
前記先端部収納部の中から前記先端部収納部の外まで前記遮光シート及び前記先端部収納部の壁を貫通したストリップと、
前記ストリップに貼着され、前記投光受光部の先端に正対するようにして前記先端部収納部内に配置され、前記校正用ターゲットと前記投光受光部の間に配置された第二校正用ターゲットと、を更に備える、請求項３に記載の診断用プローブ包装物。
【請求項７】
前記校正用ターゲットの色と前記第二校正用ターゲットの色が異なる、請求項４から６の何れか一項に記載の診断用プローブ包装物。
【請求項８】
前記校正用ターゲットの色が黒色であり、前記第二校正用ターゲットの色が白色である、請求項４から６の何れか一項に記載の診断用プローブ包装物。
【請求項９】
前記校正用ターゲットが前記先端部収納部の内壁に貼着されている、請求項１から８の何れか一項に記載の診断用プローブ包装物。
【請求項１０】
前記投光受光部の上から前記先端部収納部を覆ったカバーシートと、
前記カバーシートから前記先端部収納部の中であって前記校正用ターゲットと前記投光受光部の間に垂下したフラップと、を更に備え、
前記校正用ターゲットが前記フラップに貼着されている、請求項１から８の何れか一項に記載の診断用プローブ包装物。
【請求項１１】
前記投光受光部の上から前記先端部収納部を覆ったカバーシートと、
前記カバーシートから前記先端部収納部の中であって前記校正用ターゲットと前記投光受光部の間に垂下したフラップと、を更に備え、
前記遮光材が前記カバーシートに貼着され、
前記校正用ターゲットが前記フラップに貼着されている、請求項２又は５に記載の診断用プローブ包装物。
【請求項１２】
前記投光受光部の上から前記先端部収納部を覆ったカバーシートと、
前記カバーシートから前記先端部収納部の中であって前記校正用ターゲットと前記投光受光部の間に垂下したフラップと、を更に備え、
前記ストリップが前記カバーシートを貫通し、
前記遮光材が前記カバーシートに貼着され、
前記校正用ターゲットが前記フラップに貼着されている、請求項５に記載の診断用プローブ包装物。
【請求項１３】
前記トレイが、前記先端部収納部の内壁に凸設されたストッパを更に有し、
前記投光受光部の先端が前記ストッパに当接し、
前記校正用ターゲットが前記ストッパに関して前記投光受光部の反対側において前記先端部収納部内に配置されている、請求項１から１２の何れか一項に記載の診断用プローブ包装物。
【請求項１４】
前記カバーシートの下面に凸設され、前記先端部収納部内に突き出たストッパを更に備え、
前記投光受光部の先端が前記ストッパに当接し、
前記校正用ターゲットが前記ストッパに関して前記投光受光部の反対側において前記先端部収納部内に配置されている、請求項１０から１２の何れか一項に記載の診断用プローブ包装物。
【発明の詳細な説明】
【技術分野】
【０００１】
本発明は、プローブ、校正用ターゲット、トレイ及び包装袋を備えた診断用プローブ包装物に関する。
【背景技術】
【０００２】
生体組織の病変状態を観察・検出するために、様々な技術が提案され、実用化されている。特に、内視鏡は、広く普及している。内視鏡が体内管腔へ挿入されて、生体組織の観察部位が内視鏡の先端部から出射した照明光によって照明され、生体組織の観察部位が内視鏡の先端部で撮影される。内視鏡によって撮影された像は、表示装置及び印刷装置等の出力装置に伝送されて、出力装置から出力される。
【０００３】
撮影された像の色調等は、内視鏡と照明光の組み合わせや使用時間等に影響される。そのため、撮影された像の色調と、実物の色調にずれが生じることがある。そのような色調ずれを軽減すべく、ホワイトバランスの調整を行う必要がある。
【０００４】
特許文献１〜３には、ホワイトバランスの調整の際に用いる治具が開示されている。特許文献４には、ホワイトバランス調整システムが開示されている。
特許文献１に記載の技術では、治具がキャップのように設けられており、内視鏡の先端に治具を被せて、ホワイトバランスの調整を行う。
特許文献２に記載の技術では、治具の筒状部材の先端に回転盤が取り付けられており、回転盤に複数のカラーチャートが設けられている。内視鏡を筒状の部材に挿入した状態で、回転盤を回転させることによって、内視鏡の先端に向き合うカラーチャートを切り替えることができる。
特許文献３に記載の技術では、第一筒材の両端が開口しており、その第一筒材が有底筒状の第二筒材に挿入されている。内視鏡を第一筒材に挿入すると、第二筒材が駆動装置によって軸方向に駆動され、第二筒材の底と内視鏡の先端の距離が自動的に調整される。
特許文献４に記載の技術は、表示モニタに表示された白色部分を内視鏡によって撮影して、ホワイトバランスを自動調整するものである。
【０００５】
内視鏡を用いた画像診断だけでなく、蛍光を用いて診断を行う技術が提案されている。蛍光を用いて診断を行うためには、生体組織の測定部位から蛍光が発するようにその測定部位に励起光を照射し、発生した蛍光の波長や強度を分析する。そのような診断を行うべく、プローブが開発されており、生体組織の変性や癌等の疾患状態（例えば、疾患の種類や浸潤範囲）の診断に用いられている。
【０００６】
この種のプローブには、投光用光ファイバ、受光用光ファイバ及びレンズが内蔵されている。投光用光ファイバの先端から出射した励起光がレンズによって生体組織の測定部位に投射され、生体組織の測定部位から発した蛍光がそのレンズによって受光用光ファイバの先端に投射される。受光用光ファイバに入射した蛍光は受光用光ファイバによってスペクトル解析装置に伝送され、蛍光のスペクトル解析がその装置によって行われる。
【０００７】
一般的に、プローブごとに、光ファイバやレンズの特性に個体差がある。そのため、スペクトル解析装置による解析結果は、プローブごとに異なってしまう。そこで、プローブを用いて診断を行う前に、キャリブレーションを行う必要がある。しかし、キャリブレーションに関する作業は複雑かつ面倒であり、医療現場のユーザーにそのようなキャリブレーション作業を強いることはできる限り避ける必要がある。
【先行技術文献】
【特許文献】
【０００８】
【特許文献１】特開２００６−２２３５９１号公報
【特許文献２】特開２００５−４０２１０号公報
【特許文献３】特開２００８−８６６９７号公報
【特許文献４】特開２００４−４０３５３号公報
【発明の概要】
【発明が解決しようとする課題】
【０００９】
ところで、特許文献１〜３に記載の治具をプローブのキャリブレーションに用いることが考えられる。しかし、これらの治具は大がかりなものである。プローブのキャリブレーションに用いる治具にはシンプルなものが望まれる。
また、特許文献１〜３に記載の治具は繰り返し利用することを前提としたものであり、カラーチャート等が経年劣化すると、正確なキャリブレーション・ホワイトバランス調整を行うことができない。特許文献４に記載の技術でも、表示モニタの発色度合、経年変化又は使用環境の影響があり、正確なキャリブレーション・ホワイトバランス調整を行うことができない。
【００１０】
そこで、本発明が解決しようとする課題は、キャリブレーションに関する複雑な作業をユーザーに強いずとも、簡単にキャリブレーションを行うことができるようにすることである。また、本発明が解決しようとする課題は、シンプルな構成でプローブのキャリブレーションを行うことができるようにすることである。また、本発明が解決しようとする課題は、経年変化等の影響をなくし、より正確なキャリブレーションを行えるようにすることである。
【課題を解決するための手段】
【００１１】
前記の課題を解決するために、本発明に係る診断用プローブ包装物は、
トレイと、
前記トレイに収納され、光の伝送、投光及び受光をするプローブと、
前記プローブの校正の際に前記プローブから出射した光が照射される校正用ターゲットと、
前記プローブ、前記校正用ターゲット及び前記トレイを包み込んだ包装袋と、を備え、
前記トレイが、トレイ本体と、前記トレイ本体の上面に凹設されたリング状のケーブル収納部と、前記トレイ本体の上面に凹設され、前記ケーブル収納部に繋がり、前記ケーブル収納部から前記ケーブル収納部の接線方向に延びたコネクタ収納部と、前記トレイ本体の上面に凹設され、前記ケーブル収納部に繋がり、前記ケーブル収納部から前記ケーブル収納部の接線方向に延びた先端部収納部と、を有し、
前記プローブが、光の伝送を行うケーブル本体部と、前記ケーブル本体部の基端に連結され、光の入出力を行うコネクタと、前記ケーブル本体部の先端に連結され、投光及び受光を行う投光受光部と、を有し、
前記投光受光部が前記先端部収納部に収納され、前記ケーブル本体部が前記ケーブル収納部に収納され、前記コネクタがコネクタ収納部に収納され、
前記校正用ターゲットが前記投光受光部の先端に正対するようにして前記先端部収納部内に配置されている。
【００１２】
好ましくは、前記診断用プローブ包装物が、前記投光受光部の上から前記先端部収納部に嵌め込まれた遮光材を更に備える。
【００１３】
好ましくは、前記診断用プローブ包装物が、前記先端部収納部の内壁に貼着され、前記投光受光部を包み込んだ遮光シートを更に備える。
【００１４】
好ましくは、前記診断用プローブ包装物が、前記投光受光部の先端に正対するようにして前記先端部収納部内に配置され、前記校正用ターゲットと前記投光受光部の間に配置された第二校正用ターゲットを更に備える。
【００１５】
好ましくは、前記診断用プローブ包装物が、
前記先端部収納部の中から前記先端部収納部の外まで前記遮光材を貫通したストリップと、
前記ストリップに貼着され、前記投光受光部の先端に正対するようにして前記先端部収納部内に配置され、前記校正用ターゲットと前記投光受光部の間に配置された第二校正用ターゲットと、を更に備える。
【００１６】
好ましくは、前記診断用プローブ包装物が、
前記先端部収納部の中から前記先端部収納部の外まで前記遮光シート及び前記先端部収納部の壁を貫通したストリップと、
前記ストリップに貼着され、前記投光受光部の先端に正対するようにして前記先端部収納部内に配置され、前記校正用ターゲットと前記投光受光部の間に配置された第二校正用ターゲットと、を更に備える。
【００１７】
好ましくは、前記校正用ターゲットの色と前記第二校正用ターゲットの色が異なる。
【００１８】
好ましくは、前記校正用ターゲットの色が黒色であり、前記第二校正用ターゲットの色が白色である。
【００１９】
好ましくは、前記校正用ターゲットが前記先端部収納部の内壁に貼着されている。
【００２０】
好ましくは、前記診断用プローブ包装物が、
前記投光受光部の上から前記先端部収納部を覆ったカバーシートと、
前記カバーシートから前記先端部収納部の中であって前記校正用ターゲットと前記投光受光部の間に垂下したフラップと、を更に備え、
前記校正用ターゲットが前記フラップに貼着されている。
【００２１】
好ましくは、前記診断用プローブ包装物が、
前記投光受光部の上から前記先端部収納部を覆ったカバーシートと、
前記カバーシートから前記先端部収納部の中であって前記校正用ターゲットと前記投光受光部の間に垂下したフラップと、を更に備え、
前記遮光材が前記カバーシートに貼着され、
前記校正用ターゲットが前記フラップに貼着されている。
【００２２】
好ましくは、前記診断用プローブ包装物が、
前記投光受光部の上から前記先端部収納部を覆ったカバーシートと、
前記カバーシートから前記先端部収納部の中であって前記校正用ターゲットと前記投光受光部の間に垂下したフラップと、を更に備え、
前記ストリップが前記カバーシートを貫通し、
前記遮光材が前記カバーシートに貼着され、
前記校正用ターゲットが前記フラップに貼着されている。
【００２３】
好ましくは、前記トレイが、前記先端部収納部の内壁に凸設されたストッパを更に有し、
前記投光受光部の先端が前記ストッパに当接し、
前記校正用ターゲットが前記ストッパに関して前記投光受光部の反対側において前記先端部収納部内に配置されている。
【００２４】
好ましくは、前記診断用プローブ包装物が、前記カバーシートの下面に凸設され、前記先端部収納部内に突き出たストッパを更に備え、
前記投光受光部の先端が前記ストッパに当接し、
前記校正用ターゲットが前記ストッパに関して前記投光受光部の反対側において前記先端部収納部内に配置されている。
【発明の効果】
【００２５】
本発明によれば、校正用ターゲットが投光受光部の先端に正対するようにして先端部収納部内に配置されているから、投光受光部を先端部収納部から取り出さずとも、キャリブレーションを行うことができる。そのため、ユーザーに特段の作業・負担を要求しなくても済む。
また、プローブと校正用ターゲットがセットになって包装袋に包み込まれているから、大規模な調整治具を別途準備しなくても済む。
また、プローブと校正用ターゲットがセットになって包装袋に包み込まれているから、その新しい校正用ターゲットをキャリブレーションに用いることができる。そのため、校正用ターゲットの経年変化がほとんど無く、正確なキャリブレーションを行うことができる。
【図面の簡単な説明】
【００２６】
【図１】本発明の第一の実施の形態における診断用プローブ包装物の外観斜視図である。
【図２】同実施形態における診断用プローブ包装物の分解斜視図である。
【図３】同実施形態におけるプローブの平面図である。
【図４】同実施形態におけるトレイの一部の断面図である。
【図５】同実施形態における診断用プローブ包装物の一部の分解斜視図である。
【図６】同実施形態における診断用プローブ包装物の分解斜視図である。
【図７】同実施形態におけるベースユニットの斜視図である。
【図８】同実施形態におけるベースユニットのブロック図である。
【図９】同実施形態における診断用プローブ包装物の使用状態を示した斜視図である。
【図１０】同実施形態におけるベースユニットのコンピュータによって行われる処理の流れを示したフローチャートである。
【図１１】本発明の第二の実施の形態における診断用プローブ包装物の一部の分解斜視図である。
【図１２】同実施形態におけるトレイの一部の断面図である。
【図１３】本発明の第三の実施の形態におけるトレイの一部の断面図である。
【図１４】同実施形態におけるトレイの一部の断面図である。
【図１５】同実施形態におけるベースユニットのコンピュータによって行われる処理の流れを示したフローチャートである。
【図１６】本発明の第四の実施の形態におけるトレイの一部の断面図である。
【発明を実施するための形態】
【００２７】
以下に、本発明を実施するための形態について図面を用いて説明する。但し、以下に述べる実施形態には、本発明を実施するために技術的に好ましい種々の限定が付されているが、本発明の範囲を以下の実施形態及び図示例に限定するものではない。
【００２８】
＜第一の実施の形態＞
〔診断用プローブ包装物の概要〕
図１は、診断用プローブ包装物１の外観斜視図である。図２は、診断用プローブ包装物１の分解斜視図である。図１及び図２に示すように、診断用プローブ包装物１は、プローブ１０、校正用ターゲット３０、遮光シート４０、遮光カバー５０、トレイ（tray）７０、カバー８０及び包装袋９０等を備える。
【００２９】
プローブ１０は、光の伝送、投光及び受光をするケーブル材である。プローブ１０の基端部分が光を入出力するコネクタ１１であり、プローブ１０の先端部分が光の投光・受光をする投光受光部１２であり、プローブ１０の中間部分がコネクタ１１と投光受光部１２の間の光の伝送を行うケーブル本体部１３である。投光受光部１２がケーブル本体部１３の先端に連結され、コネクタ１１がケーブル本体部１３の基端に連結されている。
【００３０】
プローブ１０の使用時には、コネクタ１１をベースユニット１００（図７、図８に図示。ベースユニット１００の詳細は後述する。）に接続し、投光受光部１２を管腔に挿入する。ベースユニット１００の光源から発した励起光がプローブ１０の基端部分のコネクタ１１に入力され、その入力された励起光がケーブル本体部１３によって先端部分の投光受光部１２に伝送され、その伝送された励起光が投光受光部１２から管腔内の生体組織の測定部位に照射される。その測定部位は励起光によって蛍光を発する。その測定部位から発した蛍光が投光受光部１２によって受光され、その受光された蛍光がケーブル本体部１３によって基端部分のコネクタ１１に伝送され、その伝送された蛍光がコネクタ１１からベースユニット１００に出力される。ベースユニット１００に入力された蛍光のスペクトル解析等がベースユニット１００によって行われる。以上のようにプローブ１０を使用して、プローブ１０によって光学的診断が行われる。
【００３１】
このプローブ１０は使い捨てである。つまり、衛生上の観点から、一旦管腔に挿入して使用したプローブ１０は再使用することはない。
【００３２】
校正用ターゲット３０は、プローブ１０を管腔に挿入して使用する前に用いられるものである。校正用ターゲット３０の使用時には、プローブ１０の投光受光部１２を校正用ターゲット３０に向けて、プローブ１０のコネクタ１１をベースユニット１００に接続する。そして、ベースユニット１００の光源から発した既知の標準強度の光がプローブ１０の投光受光部１２から校正用ターゲット３０に投射され、その反射光が投光受光部１２によって受光され、その受光された光がケーブル本体部１３及びコネクタ１１によってベースユニット１００に伝送される。ベースユニット１００では、入力された光の強度が測定され、その測定強度と既知の標準強度の差を加味することで、校正（キャリブレーション）が行われる。
【００３３】
〔プローブ〕
プローブ１０について具体的に説明する。
図３は、プローブ１０の平面図である。図３に示すように、プローブ１０は、投光用光ファイバ１４、受光用光ファイバ１５、照明用光ファイバ１６、レンズ１７、照明用レンズ１８、ホルダ１９、コネクタ筐体２１及びチューブ２５等を備える。
【００３４】
チューブ２５は管状に設けられている。チューブ２５はプローブ１０の外周壁を形成する。チューブ２５は遮水性及び可撓性を有する。コネクタ筐体２１がチューブ２５の基端に連結され、ホルダ１９がチューブ２５の先端に連結されている。
【００３５】
プローブ１０には、識別子２６が付されている。識別子２６が付される箇所は、例えば、コネクタ筐体２１、チューブ２５又はホルダ１９である。識別子２６は、例えば、ＩＤ、シリアル番号、製造番号又はロット番号である。
【００３６】
コネクタ筐体２１の端面には接続ピン２２〜２４が凸設されている。
ホルダ１９は内部空間を有し、その内部空間がチューブ２５の中空に連通している。ホルダ１９の先端面には投光受光窓２０が設けられている。レンズ１７及び照明用レンズ１８はホルダ１９の内部空間に収容されて、そのホルダ１９に固定されている。レンズ１７が投光受光窓２０に対向するとともに、照明用レンズ１８が投光受光窓２０に対向する。
【００３７】
投光用光ファイバ１４、受光用光ファイバ１５及び照明用光ファイバ１６が、コネクタ筐体２１からホルダ１９にかけてチューブ２５内に通されている。
投光用光ファイバ１４、受光用光ファイバ１５及び照明用光ファイバ１６の基端寄り部分がコネクタ筐体２１の内側においてコネクタ筐体２１に固定されている。投光用光ファイバ１４の基端寄り部分が接続ピン２２の中に通されて、投光用光ファイバ１４の基端が接続ピン２２の突端において露出している。同様にして、受光用光ファイバ１５及び照明用光ファイバ１６の基端寄り部分が接続ピン２３，２４にそれぞれ取り付けられている。投光用光ファイバ１４は、その基端に入射した励起光をその先端まで導光するものである。受光用光ファイバ１５は、その先端に入射した蛍光をその基端まで導光するものである。照明用光ファイバ１６は、その基端に入射した照明光（例えば、可視光）をその先端まで導光するものである。
【００３８】
投光用光ファイバ１４の先端がレンズ１７に相対し、受光用光ファイバ１５の先端もレンズ１７に相対する。レンズ１７はコリメートレンズである。つまり、レンズ１７は、投光用光ファイバ１４の先端から出射した励起光を略平行光としてプローブ１０の先端の前方へ投射する。レンズ１７によって投射される励起光は、投光受光窓２０を透過する。プローブ１０の先端の前方に配置された生体組織の測定部位が励起光によって励起されて、蛍光を発する。生体組織の測定部位から発した蛍光は、投光受光窓２０を透過して、レンズ１７によって受光用光ファイバ１５の先端に集光される。
【００３９】
照明用光ファイバ１６の先端が照明用レンズ１８に相対している。照明用光ファイバ１６の先端から出射した照明光が照明用レンズ１８によってプローブ１０の先端の前方へ投射される。
【００４０】
コネクタ筐体２１、接続ピン２２〜２４及び光ファイバ１４〜１６の基端寄り部分からなる部分が、プローブ１０のコネクタ１１に相当する。レンズ１７、照明用レンズ１８、ホルダ１９及び投光受光窓２０からなる部分が、プローブ１０の投光受光部１２に相当する。チューブ２５及び光ファイバ１４〜１６の中央部分が、コネクタ１１と投光受光部１２を繋ぐケーブル本体部１３に相当する。
【００４１】
なお、投光受光窓２０がホルダ１９の側面に設けられていてもよい。その場合、ホルダ１９の内側であってレンズ１７の前にミラーが配置され、レンズ１７によって投射される励起光がそのミラーによって投光受光窓２０に向けて反射される。生体組織の測定部位から発して投光受光窓２０を透過した蛍光は、ミラーによってレンズ１７に向けて反射される。
【００４２】
また、ホルダ１９の内部に撮像カメラが内蔵されていてもよい。その場合、ホルダ１９の周囲が撮像カメラによって撮影され、撮像カメラによって撮影された像がベースユニット１００に転送される。プローブ１０が使い捨てであるため、上述したように撮像カメラが内蔵されていないことが好ましい。
【００４３】
以上のプローブ１０に設けられた光ファイバの本数が３であるが、光ファイバの本数が１又は２でもよいし、４以上であってもよい。光ファイバの本数が２である場合、照明用光ファイバ１６が無く、投光用光ファイバ１４を励起光導光用と照明光導光用に兼用することが好ましい。光ファイバの本数が１である場合、投光用光ファイバ１４を励起光導光用、蛍光導光用及び照明光導光用に兼用することが好ましい。
【００４４】
〔トレイ〕
トレイ７０について具体的に説明する。
図２に示すように、トレイ７０は、下面が開口した箱状のトレイ本体７１を有する。トレイ本体７１は、樹脂製、紙製又は金属製の薄板材を箱状に加工したものである。トレイ本体７１が耐薬品性及び耐熱性を有し、滅菌ガス環境及び高温環境の下においてもトレイ本体７１の性質が変化しない。
【００４５】
トレイ本体７１の上面には、プローブ収納凹部７２が凹設されている。プローブ収納凹部７２には、プローブ１０が収納される。
【００４６】
プローブ収納凹部７２は、コネクタ１１が収納されるコネクタ収納部７３と、ケーブル本体部１３が収納されるケーブル収納部７４と、投光受光部１２が収納される先端部収納部７５と、からなる。ケーブル収納部７４は、トレイ本体７１の上面に凹設されたリング状の凹部である。コネクタ収納部７３はトレイ本体７１の上面に凹設された凹部である。コネクタ収納部７３は、ケーブル収納部７４に繋がっているともに、ケーブル収納部７４の接線方向に延びている。先端部収納部７５は、トレイ本体７１に凹設された凹部である。先端部収納部７５は、ケーブル収納部７４に繋がっているとともに、ケーブル収納部７４の接線方向に延びている。
【００４７】
図４は、先端部収納部７５の断面図である。トレイ７０は、ストッパ７７を更に有する。ストッパ７７は、先端部収納部７５の内壁に凸設されている。具体的には、ストッパ７７は、先端部収納部７５の突き当たり面７６から離れた位置であって先端部収納部７５の底に形成されている。
【００４８】
〔遮光シート〕
遮光シート４０について具体的に説明する。
図５は、先端部収納部７５及びその周囲の分解斜視図である。
図４及び図５に示すように、遮光シート４０は、先端部収納部７５の内壁に貼着されている。遮光シート４０は、弾性を有するポリウレタンフォーム材（モルトプレン）からなる。遮光シート４０に植毛が施されていてもよい。ストッパ７７は、遮光シート４０を貫通して、遮光シート４０から突き出ている。
【００４９】
遮光シート４０が耐薬品性及び耐熱性を有し、滅菌ガス環境及び高温環境の下においても遮光シート４０の性質が変化しない。
【００５０】
〔校正用ターゲット〕
校正用ターゲット３０について具体的に説明する。
図４及び図５に示すように、校正用ターゲット３０は、先端部収納部７５内に配置されている。校正用ターゲット３０の設置位置は、ストッパ７７よりも先端部収納部７５の突き当たり面７６寄りである。具体的には、校正用ターゲット３０は、先端部収納部７５の突き当たり面７６に貼着されている。校正用ターゲット３０がその突き当たり面７６に直接貼着されていてもよいし、遮光シート４０を介して突き当たり面７６に貼着されていてもよい。
【００５１】
校正用ターゲット３０は、着色されている、校正用ターゲット３０の色は、例えば、黒、白、赤、緑、青、黄、マゼンタ又はシアンである。校正用ターゲット３０は一様な単一色であってもよいし、いわゆるカラーチャートのように様々な色を配列したものでもよい。
【００５２】
校正用ターゲット３０は、例えば、マンセルカラー等の標準色票、標準色板（例えば、標準白色板）、標準蛍光試料又はラマン標準試料である。また、校正用ターゲット３０は、基材と、その基材に貼り付けられた標準カラーシート（例えば、マンセルカラーシート）とを有するものでもよい。校正用ターゲット３０が硫酸バリウムからなるものとしてもよく、好ましくは、硫酸バリウムをタブレット状に成形したものを校正用ターゲット３０として使用する。
【００５３】
校正用ターゲット３０が先端部収納部７５の突き当たり面７６に貼着されているのではなく、突き当たり面７６が着色されて、その突き当たり面７６が校正用ターゲット３０として機能してもよい。突き当たり面７６が校正用ターゲット３０として機能する場合には、遮光シート４０は、突き当たり面７６を除いて、先端部収納部７５の内壁に貼着されている。
【００５４】
また、遮光シート４０のうち突き当たり面７６に貼着された部分が着色されて、その部分が校正用ターゲット３０として機能してもよい。
【００５５】
校正用ターゲット３０が耐薬品性及び耐熱性を有し、滅菌ガス環境及び高温環境の下においても校正用ターゲット３０の性質が変化しない。
【００５６】
〔遮光カバー〕
遮光カバー５０について具体的に説明する。
図４及び図５に示すように、遮光カバー５０が先端部収納部７５の上から先端部収納部７５を覆い、先端部収納部７５が遮光カバー５０によって蓋をされている。遮光カバー５０が遮光性を有する。
【００５７】
遮光カバー５０はカバーシート５１、遮光材５２及びストッパ５３を有する。遮光材５２は、弾性を有するポリウレタンフォーム材（モルトプレン）を薄板状に形成したものである。遮光材５２がカバーシート５１の下面に貼着されている。カバーシート５１のサイズが遮光材５２のサイズよりも大きく、カバーシート５１の周辺部が遮光材５２の縁からはみ出ている。ストッパ５３がカバーシート５１の下面に凸設されている。そのストッパ５３が遮光材５２を貫通し、遮光材５２から突き出ている。
【００５８】
カバーシート５１が先端部収納部７５の上から先端部収納部７５を覆っており、カバーシート５１の周辺部が先端部収納部７５の外側においてトレイ本体７１の上面に載置されている。遮光材５２は、先端部収納部７５の底から離れるようにして先端部収納部７５に嵌め込まれている。遮光材５２の周辺部が遮光シート４０に接触し、遮光材５２及び遮光シート４０によって囲われた空間が形成される。
【００５９】
先端部収納部７５が遮光カバー５０によって蓋をされた状態では、ストッパ５３が先端部収納部７５内に突き出ている。そのストッパ５３は、先端部収納部７５の突き当たり面７６から離れている。ストッパ５３とストッパ７７が上下に相対しており、ストッパ５３の突端とストッパ７７の突端が互いに離れている。なお、ストッパ５３とストッパ７７の何れか一方が無くてもよい。
【００６０】
遮光カバー５０の上面、つまり、カバーシート５１の上面には、注意書きが印刷又は刻印されている。注意書きの内容は、キャリブレーション処理の前に遮光カバー５０を剥がすことを禁ずる旨である。
【００６１】
遮光カバー５０、カバーシート５１、遮光材５２及びストッパ５３が耐薬品性及び耐熱性を有し、滅菌ガス環境及び高温環境の下においても遮光カバー５０、カバーシート５１、遮光材５２及びストッパ５３の性質が変化しない。
【００６２】
〔プローブの収納状態〕
図６は、プローブ１０がトレイ７０上に収納された状態を示した斜視図である。図６に示すように、プローブ１０が、プローブ収納凹部７２に嵌め込まれるようにしてプローブ収納凹部７２に収納されている。具体的には、プローブ１０の投光受光部１２が先端部収納部７５に嵌め込まれるようにして先端部収納部７５に収納されている。また、プローブ１０のケーブル本体部１３は、螺旋状に巻かれた状態でケーブル収納部７４に嵌め込まれるようにしてケーブル収納部７４に収納されている。ケーブル本体部１３は、コネクタ１１側が投光受光部１２側の上に重なるようにして螺旋状に巻かれている。プローブ１０のコネクタ１１は、コネクタ収納部７３に嵌め込まれるようにしてコネクタ収納部７３に収納されている。以上のようにプローブ１０がプローブ収納凹部７２に収納されることで、後述するようにプローブ１０のコネクタ１１を最初に取り出しやすい。
【００６３】
逆に、ケーブル本体部１３は、投光受光部１２側がコネクタ１１側の上に重なるようにして螺旋状に巻かれて、ケーブル収納部７４に収納されていてもよい。ケーブル本体１３の弾性次第では、ケーブル本体部１３がケーブル収納部７４から突出することがあるので、ケーブル本体部１３のうち投光受光部１２側がコネクタ１１側の上に重ねることで、コネクタ１１の取り出しの際にケーブル本体部１３がケーブル収納部７４から飛び出すことを防止することができる。いずれにせよ、ケーブル本体部１３の弾性や長さ等を総合的に勘案して、ケーブル本体部１３のうち投光受光部１２側をコネクタ１１側の上に重ねるか、それともコネクタ１１側を投光受光部１２側の上に重ねるかを選択する。
【００６４】
以上のようにプローブ１０がプローブ収納凹部７２に収納されているから、プローブ１０がトレイ本体７１に保持され、プローブ１０を衝撃等から保護することができる。
【００６５】
プローブ収納凹部７２の側面に一又は複数の弾性突起が凸設され、プローブ１０がプローブ収納凹部７２に収納されたらその弾性突起がプローブ１０によって圧縮されてもよい。これにより、プローブ１０が弾性突起によって支えられ、プローブ１０がプローブ収納凹部７２から外れにくくなる。
【００６６】
図４に示すように、投光受光部１２が先端部収納部７５に収納された状態では、投光受光部１２が遮光シート４０によって包み込まれ、投光受光部１２の周面が遮光シート４０に接触して、遮光シート４０が投光受光部１２によってわずかに圧縮されている。投光受光部１２の先端面（投光受光窓２０）の周辺部がストッパ７７に当接し、投光受光部１２の先端面が先端部収納部７５の突き当たり面７６及び校正用ターゲット３０から離れている。
【００６７】
先端部収納部７５が遮光カバー５０によって蓋をされ、投光受光部１２が遮光カバー５０によって覆われている。具体的には、遮光カバー５０の遮光材５２が投光受光部１２の上から先端部収納部７５に嵌め込まれている。投光受光部１２の周面が遮光材５２に接触して、遮光材５２が投光受光部１２によってわずかに圧縮されている。
【００６８】
投光受光部１２の先端面（投光受光窓２０）の周辺部がストッパ５３に当接し、投光受光部１２の先端面が先端部収納部７５の突き当たり面７６及び校正用ターゲット３０から離れている。
【００６９】
投光受光部１２の先端面（特に投光受光窓２０）が、ストッパ５３とストッパ７７の間の隙間を介して校正用ターゲット３０に正対している。投光受光部１２から投射される励起光の光軸はストッパ５３とストッパ７７の間を通る。投光受光部１２から投射される励起光の光軸が校正用ターゲット３０に直交する。ストッパ５３及びストッパ７７によって、投光受光部１２の先端面から校正用ターゲット３０までの距離が適切に設定される。
【００７０】
投光受光部１２が遮光材５２及び遮光シート４０によって囲われた空間に詰め込まれているが、投光受光部１２の先端面の全てが覆われているわけではなく、投光受光部１２の投光・受光が遮光材５２、遮光シート４０、ストッパ５３及びストッパ７７によって妨げられていない。
【００７１】
投光受光部１２が遮光材５２及び遮光シート４０によって包囲されているから、投光受光部１２が光密な状態で先端部収納部７５に収納されている。投光受光部１２の先端面と校正用ターゲット３０との間の空間も遮光材５２及び遮光シート４０によって遮光されている。また、遮光材５２及び遮光シート４０がクッションとして機能し、搬送時等の衝撃荷重が遮光材５２及び遮光シート４０によって減衰され、投光受光部１２が保護される。
【００７２】
〔カバー〕
カバー８０について具体的に説明する。図２、図４及び図６に示すように、カバー８０は遮光カバー５０の上からトレイ本体７１の上面に覆い被さって、プローブ収納凹部７２がカバー８０によって蓋をされている。収納されたプローブ１０がカバー８０によって覆われて、プローブ１０が保護されている。カバー８０が耐薬品性及び耐熱性を有し、滅菌ガス環境及び高温環境の下においてもカバー８０の性質が変化しない。
【００７３】
カバー８０の下面には、プローブ収納凹部７２のコネクタ収納部７３及びケーブル収納部７４に重なるような形状の凸部８１が形成され、凸部８１がプローブ１０のケーブル本体部１３及びコネクタ１１の上からプローブ収納凹部７２のコネクタ収納部７３及びケーブル収納部７４に入り込んでいる。これにより、プローブ１０がしっかり固定される。
【００７４】
〔包装袋〕
包装袋９０について具体的に説明する。
図１、図２、図６に示すように、包装袋９０がプローブ１０、トレイ７０及びカバー８０等を包み込み、これらプローブ１０、トレイ７０及びカバー８０等が包装袋９０内に収容されている。勿論、包装袋９０内においても、プローブ１０がプローブ収納凹部７２に収納され、投光受光部１２の先端面（特に投光受光窓２０）が校正用ターゲット３０に正対し、プローブ収納凹部７２の先端部収納部７５が遮光カバー５０によって蓋をされている。
【００７５】
図１には、プローブ１０、トレイ７０及びカバー８０等が包装袋９０によって包装された状態が示されている。図１に示すように、包装袋９０が密閉されている。
【００７６】
包装袋９０は、遮光性を有することが好ましい。包装袋９０は、気密性を有することが好ましい。包装袋９０が耐薬品性を有し、滅菌ガス環境下においても包装袋９０の性質が変化しない。包装袋９０の口がセンターシール機等を用いた熱溶着等によって接合されることによって、包装袋９０内の空間が密閉される。
【００７７】
包装袋９０は気体透過性を有するが、包装体９０に形成された微細孔が非常に小さく、マイクロメートルオーダーの細菌及び塵埃は包装体９０を透過しない。
【００７８】
包装袋９０は滅菌処理されたものである。具体的には、プローブ１０、調整治具３０、トレイ７０及びカバー８０等が包装袋９０によって包装されて、包装袋９０が密閉された状態で、その包装袋９０が高温炉内で高温の滅菌ガス雰囲気に暴露されることで、包装袋９０が滅菌処理される。
【００７９】
包装袋９０の外側にポケットが設けられていてもよい。説明書、仕様書等がそのポケットに挿入されている。
【００８０】
〔ベースユニット〕
ベースユニット１００について説明する。
図７は、ベースユニット１００の斜視図である。図８は、ベースユニット１００のブロック図である。図７及び図８に示すように、ベースユニット１００は、筐体１０１、ＣＰＵ１０３、ＲＡＭ１０４、ＲＯＭ１０５、信号処理部１０６、測光部１０７、発光制御部１０８，１１０、照明光源１０９、光源１１１、インターフェース１１２及びセンサ１１３等を備える。
【００８１】
ＣＰＵ１０３、ＲＡＭ１０４、ＲＯＭ１０５、信号処理部１０６、測光部１０７、発光制御部１０８，１１０、照明光源１０９、光源１１１、インターフェース１１２及びセンサ１１３は、筐体１０１に内蔵されている。
【００８２】
筐体１０１の前面には、接続部１０２が設けられている。プローブ１０のコネクタ１１が接続部１０２に接続される。プローブ１０のコネクタ１１が接続部１０２に接続されると、投光用光ファイバ１４の基端が光導波路を介して光源１１１に接続され、受光用光ファイバ１５の基端が光導波路を介して測光部１０７に接続され、照明用光ファイバ１６の基端が光導波路を介して照明光源１０９に接続される。
【００８３】
センサ１１３は、接続部１０２に取り付けられている。センサ１１３は、コネクタ１１が接続部１０２に接続されたことを検出し、その検出信号をＣＰＵ１０３に出力する。センサ１１３は、例えば赤外線センサ、マイクロスイッチ又は近接センサである。
【００８４】
ＲＯＭ１０５には、ＣＰＵ１０３にとって読取可能なプログラムが格納されている。ＣＰＵ１０３は、ＲＯＭ１０５に格納されたプログラムを実行して、そのプログラムに従って信号処理部１０６、測光部１０７、発光制御部１０８，１１０、インターフェース１１２を制御すると共に、これらの間で信号・データの転送を行う。ＲＡＭ１０４は、ＣＰＵ１０３に作業領域を提供するものである。
【００８５】
ＣＰＵ１０３は、プログラムに従って、校正に関する演算を行い、演算結果（補正係数）をＲＡＭ１０４に記録する。ＣＰＵ１０３は、その演算結果（補正係数）を測光部１０７に反映させる。
【００８６】
インターフェース１１２は、ＣＰＵ１０９の指令に従って、ＣＰＵ１０９とコンピュータ１１４の間でデータの転送を行うものである。コンピュータ１１４には、入力装置（例えば、キーボード、マウス）１１５及び表示モニタ１１６が接続されている。
【００８７】
発光制御部１１０は、ＣＰＵ１０３の指令に従って、光源１１１を制御する。光源１１１の発光タイミング、消灯タイミング及び発光強度等が発光制御部１１０によって制御される。同様に、発光制御部１０８が、ＣＰＵ１０３の指令に従って、照明光源１０９を制御する。
【００８８】
照明光源１０９は、照明光としての可視光を発する。光源１１１は、励起光（例えば、Ｘ線、紫外線、可視光線又は電磁波）を発生する。また、発光制御部１１０が光源１１１を制御することによって、光源１１１によって発光される励起光の波長が調整される。
【００８９】
測光部１０７は、プローブ１０の受光用光ファイバ１５から入力した蛍光を分光するとともに、その蛍光の強度を波長ごとに測定する。また、測光部１０７は、プローブ１０の受光用光ファイバ１５から入力した蛍光を分光せずに、その蛍光の強度を測定する。以下、測光部１０７によって測定された波長ごとの強度をスペクトルデータといい、測光部１０７によって分光されずに測定された強度を強度データという。
測光部１０７は、ＣＰＵ１０３から入力した演算結果（補正係数）を反映した状態でスペクトルデータや強度データの測定をするし、その演算結果（補正係数）を反映しない状態でスペクトルデータや強度データの測定もする。
測光部１０７によって測定されたスペクトルデータや強度データは、ＣＰＵ１０３によって信号処理部１０６に転送されたり、ＣＰＵ１０３及びインターフェース１１２によってコンピュータ１１４に転送されたりする。
信号処理部１０６は、スペクトルデータ及び強度データの信号処理をする。
【００９０】
〔診断用プローブ包装物の取扱方法及びベースユニットの動作〕
診断用プローブ包装物１の取扱方法及びベースユニット１００の動作について説明する。
図９は、診断用プローブ包装物１の使用状態を示す斜視図である。図１０は、ＣＰＵ１０３がプログラムに従って行う処理の流れを示したフローチャートである。
【００９１】
まず、ＣＰＵ１０３は、センサ１１３から検出信号を入力するまで待機する（ステップＳ１：Ｎｏ）。
【００９２】
その際、ユーザーが包装袋９０を開封して、包装袋９０からトレイ７０ごとプローブ１０、遮光カバー５０及びカバー８０を取り出す。次に、ユーザーがカバー８０をトレイ７０から外す。次に、ユーザーは、プローブ１０に付された識別子２６を読み取って、その識別子２６と同じ値を入力装置１１５で入力する。入力された識別子がコンピュータ１１４からＣＰＵ１０３に転送され、ＣＰＵ１０３がその入力識別子をＲＡＭ１０４に記録する。
【００９３】
次に、ユーザーがプローブ１０のコネクタ１１をコネクタ収納部７３から取り出す。ケーブル本体部１３のコネクタ１１側がケーブル本体部１３の投光受光部１２側の上に重なるようにしてケーブル本体部１３が螺旋状に巻かれているから、ユーザーにとってコネクタ１１を取り出しやすい。
【００９４】
包装袋９０が遮光性を有していれば、ユーザーは、コネクタ１１をコネクタ収納部７３から取り出した後、プローブ１０のコネクタ１１側以外の部分をトレイ７０ごと包装袋９０に収納してもよい。これにより、プローブ１０の投光受光部１２が包装袋９０によって遮光される。なお、プローブ１０の投光受光部１２を包装袋９０によって遮光するのであれば、遮光カバー５０が無くてもよい。
【００９５】
次に、ユーザーは、取り出したコネクタ１１をベースユニット１００の接続部１０２に接続する。コネクタ１１が接続部１０２に接続されると、コネクタ１１がセンサ１１３によって検出され、検出信号がセンサ１１３からＣＰＵ１０３に出力される。なお、コネクタ１１の接続をセンサ１１３によって検出しなくてもよい。この場合、光源１１１が常時発光した状態とし、ＣＰＵ１０３が測光部１０７の測定結果の変化からコネクタ１１の接続を認識する。コネクタ１１が接続部１０２に接続されると、測光部１０７の測定結果が変化するためである。
【００９６】
ＣＰＵ１０３は、センサ１１３から検出信号を入力したら（ステップＳ１：Ｙｅｓ）、発光制御部１１０を制御して、光源１１１を発光させる（ステップＳ２）。光源１１１から発した励起光は、投光用光ファイバ１４によってその先端まで導光される。投光用光ファイバ１４の先端から出射された励起光がレンズ１７によって校正用ターゲット３０に投射される。励起光が校正用ターゲット３０によって反射され、反射光がレンズ１７によって受光用光ファイバ１５の先端に集光される。受光用光ファイバ１５の先端に受光された反射光が受光用光ファイバ１５によって測光部１０７に導光される。投光受光部１２の先端が校正用ターゲット３０のすぐ近くに位置しているから、励起光や反射光がほとんど減衰せず、強度の高い反射光が受光用光ファイバ１５の先端に入射する。なお、校正用ターゲット３０の色が黒色であれば、校正用ターゲット３０で励起光がほとんど反射しない。そのため、受光用光ファイバ１５の先端に入射する励起光の強度も非常に低い。
【００９７】
光源１１１が発光した後、ＣＰＵ１０３が測光部１０７に測光処理を行わせる（ステップＳ３）。これにより、測光部１０７によってスペクトルデータや強度データが測定される。
【００９８】
次に、ＣＰＵ１０３は、校正処理を行う（ステップＳ４）。具体的には、ＣＰＵ１０３は、測光部１０７によって測定されたスペクトルデータ及び強度データが適正範囲に含まれるか否かを判断する。更に、ＣＰＵ１０３が、測光部１０７によって測定されたスペクトルデータと強度データの両方又は片方から補正係数を演算する。校正用ターゲット３０の色が白色であれば、このような校正処理は、ホワイトバランスの調整を目的とするとともに、プローブ１０、光源１１１及び測光部１０７の個体差や組み合わせに基づくばらつきの調整を目的とする。校正用ターゲット３０の色が黒色であれば、校正処理は、プローブ１０のレンズ１７や光ファイバ１４，１５等に由来する迷光の強度や反射ノイズの強度を把握することを目的とする。
【００９９】
次に、ＣＰＵ１０３は、ステップＳ４における判断結果及び補正係数をＲＡＭ１０４に記録する（ステップＳ５）。この際、ＣＰＵ１０３は、先に記録した入力識別子に判断結果及び補正係数を対応づける。
【０１００】
次に、ＣＰＵ１０３は、インターフェース１１２を介してコンピュータ１１４に表示指令を出力する（ステップＳ６）。表示指令を受けたコンピュータ１１４は、校正処理が終了した旨を内容とする画面を表示モニタ１１６に表示させる。これにより、ユーザーが校正処理の終了を容易に理解することができる。
そして、ＣＰＵ１０３は、判断結果、補正係数及び入力識別子をＲＡＭ１０４に記憶された状態で、処理を終了する。
【０１０１】
なお、ステップＳ５の記録処理の終了後、ステップＳ６の表示処理の前に、ＣＰＵ１０３が発光制御部１１０を制御して、光源１１１から発する励起光の波長を変化させてもよい。その後、ＣＰＵ１０は、上述した測光処理、校正処理及び記録処理を順に再度行った後、表示処理を行う（ステップＳ６）。
【０１０２】
以上のようにユーザーが診断用プローブ包装物１を取り扱って、ＣＰＵ１０３の処理が行われることによって、キャリブレーションがなされる。なお、ベースユニット１００が記録媒体（例えば不揮発性メモリ、磁気ディスクドライブ等）を有し、図１０に示す処理が終了したら、ＣＰＵ１０３が、ＲＡＭ１０４に記録された入力識別子、判断結果及び補正係数を記録媒体に記録してもよい。こうすることでプローブ１０ごとの入力識別子、判断結果及び補正係数が記録媒体に蓄積され、ロット管理等のフィードバックを行いやすくなる。
【０１０３】
図１０に示す処理の途中又は終了後に、ユーザーがコネクタ１１を接続部１０２から取り外すと、その旨がセンサ１１３によって検出される。そうすると、ＣＰＵ１０３がＲＡＭ１０４に記憶された入力識別子、判断結果及び補正係数を消去する。
【０１０４】
以上のようなキャリブレーションが行われた後、コネクタ１１を接続部１０２から取り外さずに、ユーザーが遮光カバー５０を取り外した後、プローブ１０の投光受光部１２を先端部収納部７５から取り出す。そして、必要に応じて内視鏡の鉗子チャネルを利用して、プローブ１０の投光受光部１２を管腔に挿入する。その際、照明光源１０９が点灯して、投光受光部１２の周囲が照らされてもよい。
【０１０５】
その後、光源１１１がＣＰＵ１０３によって点灯される。そうすると、励起光が投光用光ファイバ１４及びレンズ１７によってプローブ１０の投光受光部１２の先端から生体組織の測定部位に投射される。生体組織の測定部位が励起光に起因して蛍光を発し、その蛍光がプローブ１０の投光受光部１２の先端に受光される。受光した蛍光が受光用光ファイバ１５によって測光部１０７に伝送される。ＣＰＵ１０３がＲＡＭ１０４に記録された補正係数を測光部１０７に反映させる。そして、測光部１０７が受光した蛍光の強度データやスペクトルデータを測定し、その強度データやスペクトルデータを補正係数で補正する。補正係数で補正された強度データやスペクトルデータは、信号処理部１０６によって信号処理されたり、ＣＰＵ１０３及びインターフェース１１２によってコンピュータ１１４に転送されたりする。コンピュータ１１４は、補正された強度データやスペクトルデータを表示モニタ１１６に表示させる。これにより、生体組織の測定部位を診断することができる。
【０１０６】
プローブ１０が使い捨てであるため、診断後、コネクタ１１を接続部１０２から外し、プローブ１０を廃棄する。遮光カバー５０、トレイ（tray）７０、カバー８０及び包装袋９０も廃棄する。
【０１０７】
〔効果〕
以上の実施の形態によれば、以下のような効果を奏する。
【０１０８】
(1)  投光受光部１２の先端面（特に投光受光窓２０）が校正用ターゲット３０に正対した状態で、プローブ１０がプローブ収納凹部７２に収納されている。特に、投光受光部１２の先端面と校正用ターゲット３０の距離が適切に設定されている。そのため、キャリブレーションの際に、プローブ１０の投光受光部１２を調整治具等にセットする必要がなくなる。更に、別の大規模な調整治具を準備しなくても済む。従って、ユーザーにとって使い勝手がよい。
(2)  投光受光部１２の先端面と校正用ターゲット３０が予め正対し、更にその周囲が光密に保たれているから、ユーザーがプローブ１０のコネクタ１１をベースユニット１００の接続部１０２に接続するだけで、キャリブレーションが自動的に行われる。そのため、ユーザーに特段の作業・負担を要求しなくても済む。
(3)  遮光シート４０及び遮光材５２によって校正用ターゲット３０及び投光受光部１２が遮光されるから、キャリブレーションの精度が高い。
(4)  プローブ１０と校正用ターゲット３０がセットになっているから、新しい校正用ターゲット３０をプローブ１０のキャリブレーションに用いることができる。そのため、校正用ターゲット３０の劣化・変色等がなく、正確なキャリブレーションを行うことができる。
(5)  診断用プローブ包装物１がシンプルに構成されているから、診断用プローブ包装物１のコストが低い。
(6)  プローブ１０の収納が工夫されているので、使い勝手がよい。プローブ１０の投光
受光部１２を取り出さずとも、キャリブレーションを行うことができる。
(7)  プローブ１０が使い捨てであるから、使い勝手がよいうえ、衛生的である。
【０１０９】
＜第二の実施の形態＞
図１１は、第二の実施の形態における先端部収納部７５及びその周囲の分解斜視図であ
る。図１２は、先端部収納部７５の断面図である。第一の実施の形態における診断用プローブ包装物１と、第二の実施の形態における診断用プローブ包装物との間で互いに対応する部分には、同一の符号を付す。以下、第一の実施の形態と第二の実施の形態の間で相違する部分について主に説明する。
【０１１０】
第一の実施の形態では、校正用ターゲット３０が先端部収納部７５の突き当たり面７６に貼着されていたのに対して、第二の実施の形態では、校正用ターゲット３０が遮光カバー５０に取り付けられている。
【０１１１】
ここで、カバーシート５１の下面にはフラップ５４が形成されており、そのフラップ５４がカバーシート５１から垂下している。カバーシート５１からフラップ５４が垂下する長さは、ストッパ５３の付け根からストッパ５３の突端までの長さよりも長い。フラップ５４とストッパ５３が対向している。フラップ５４のうちストッパ５３に向き合う面に校正用ターゲット３０が貼着されている。なお、フラップ５４のうちストッパ５３に向き合う面が着色されて、その面が校正用ターゲット３０として機能してもよい。
【０１１２】
先端部収納部７５が遮光カバー５０によって蓋をされた状態では、フラップ５４が先端部収納部７５に差し込まれている。フラップ５４が差し込まれる位置は、突き当たり面７６とストッパ７７の間である。校正用ターゲット３０は、先端部収納部７５の突き当たり面７６の反対を向いており、投光受光部１２の先端面（特に投光受光窓２０）に正対している。
【０１１３】
第一の実施の形態の診断用プローブ包装物１と第二の実施の形態の診断用プローブ包装物の間で互いに対応する部分は、以上に説明したことを除いて、同様に設けられている。
【０１１４】
第二の実施の形態の診断用プローブ包装物の取扱方法は、第一の実施の形態の診断用プローブ包装物１と同様である。
【０１１５】
＜第三の実施の形態＞
図１３は、第三の実施の形態における先端部収納部７５の断面図である。第一の実施の形態における診断用プローブ包装物１と、第三の実施の形態における診断用プローブ包装物との間で互いに対応する部分には、同一の符号を付す。以下、第一の実施の形態と第三の実施の形態の間で相違する部分について主に説明する。
【０１１６】
第三の実施の形態の診断用プローブ包装物は、上述したプローブ１０、校正用ターゲット３０、遮光シート４０、遮光カバー５０、トレイ７０、カバー８０及び包装袋９０等に加えて、第二校正用ターゲット３１及びストリップ３２を備える。
【０１１７】
ストリップ３２は、遮光カバー５０を上下に貫通する。具体的には、遮光カバー５０のカバーシート５１にスリット５５が形成され、遮光材５２にも切り込み５６が形成され、切り込み５５がスリット５５に重なり、ストリップ３２がスリット５５及び切り込み５６に通されている。ストリップ３２は、切り込み５６に通された状態で切り込み５６の両側の部分５７，５８によって挟まれている。
【０１１８】
図１４に示すように、ストリップ３２が切り込み５６から抜けた場合、切り込み５６の両側の部分５７，５８が重なり合って、切り込み５６がその両側の部分５７，５８によって塞がれる。スリット５５も切り込み５６の両側の部分５７，５８によって塞がれる。
【０１１９】
図１３に示すように、ストリップ３２は、先端部収納部７５の壁（特に、底）を上下に貫通する。具体的には、先端部収納部７５の底にスリット７８が形成され、遮光シート４０にも切り込み４１が形成され、切り込み４１がスリット７８に重なり、ストリップ３２がスリット７８及び切り込み４１に通されている。ストリップ３２は、切り込み４１に通された状態で切り込み４１の両側の部分４２，４３によって挟まれている。図１４に示すように、ストリップ３２が切り込み４１から抜けた場合、切り込み４１の両側の部分４２，４３が重なり合って、切り込み４１がその両側の部分４２，４３によって塞がれる。スリット７８も切り込み４１の両側の部分４２，４３によって塞がれる。
【０１２０】
図１３に示すように、スリット５５及び切り込み５６が形成された位置は、ストッパ５３と校正用ターゲット３０の間である。スリット７８及び切り込み４１が形成された位置は、ストッパ７７と校正用ターゲット３０の間である。スリット５５とスリット７８が上下に相対している。
【０１２１】
ストリップ３２は、スリット５５側からスリット７８側に先端部収納部７５を横切っている。先端部収納部７５は、ストリップ３２によって校正用ターゲット３０側の領域とストッパ５３，７７側の領域に区切られている。
【０１２２】
ストリップ３２が切り込み４１及びスリット７８に通されず、スリット５５及び切り込み５６だけに通されていてもよい。この場合、切り込み４１及びスリット７８が形成されていなくてもよい。また、ストリップ３２が切り込み５６及びスリット５５に通されず、スリット７８及び切り込み４１だけに通されていてもよい。この場合、切り込み５６及びスリット５５が形成されていなくてもよい。何れの場合でも、ストリップ３２が先端部収納部７５に差し込まれ、先端部収納部７５がストリップ３２によって校正用ターゲット３０側の領域とストッパ５３，７７側の領域に区切られている。
【０１２３】
第二校正用ターゲット３１は、投光受光部１２の先端面（特に投光受光窓２０）と校正用ターゲット３０との間に配置された状態で、先端部収納部７５内に配置されている。
【０１２４】
第二校正用ターゲット３１はストリップ３２に貼着されている。具体的には、第二校正用ターゲット３１は、ストリップ３２の両面のうちストッパ５３，７７側の面に貼着されている。第二校正用ターゲット３１は、先端部収納部７５の突き当たり面７６の反対を向いており、投光受光部１２の先端面（特に投光受光窓２０）に正対している。
【０１２５】
図１４に示すように、ストリップ３２がスリット５５，７８から引き抜かれると、第二校正用ターゲット３１が先端部収納部７５の外に取り出される。そのため、投光受光部１２の先端面と校正用ターゲット３０との間には、これらを遮るものが無い。
【０１２６】
校正用ターゲット３０の色と第二校正用ターゲット３１の色が異なることが好ましい。具体的には、校正用ターゲット３０の色が黒色であり、第二校正用ターゲット３１の色が黒以外の色（例えば、白、赤、緑、青、黄、マゼンタ又はシアン）である。その中でも、第二校正用ターゲット３１の色が白色であることが好ましい。なお、第二校正用ターゲット３１は一様な単一色であってもよいし、いわゆるカラーチャートのように様々な色を配列したものでもよい。
【０１２７】
第二校正用ターゲット３１は、例えば、マンセルカラー等の標準色票、標準色板、標準蛍光試料又はラマン標準試料である。なお、ストリップ３２が着色されて、ストリップ３２が第二校正用ターゲット３１として機能してもよい。
【０１２８】
第一の実施の形態の診断用プローブ包装物１と第三の実施の形態の診断用プローブ包装物の間で互いに対応する部分は、以上に説明したことを除いて、同様に設けられている。
【０１２９】
第三の実施の形態の診断用プローブ包装物の取扱方法及びベースユニット１００の動作について説明する。
図１５は、ベースユニット１００のＣＰＵ１０３がプログラムに従って行う処理の流れを示したフローチャートである。
【０１３０】
ＣＰＵ１０３が、センサ１１３から検出信号を入力するまで待機する（ステップＳ１１：Ｎｏ）。
【０１３１】
一方、ユーザーが、包装袋９０からトレイ７０ごとプローブ１０、遮光カバー５０及びカバー８０を取り出すとともに、カバー８０をトレイ７０から外す。そして、ユーザーが、プローブ１０に付された識別子２６と同じ値を入力装置１１５で入力する。そうすると、ＣＰＵ１０３が、コンピュータ１１４からＣＰＵ１０３に転送された入力識別子をＲＡＭ１０４に記録する。
【０１３２】
次に、ユーザーが、プローブ１０のコネクタ１１をコネクタ収納部７３から取り出とともに、そのコネクタ１１をベースユニット１００の接続部１０２に接続する。そうすると、コネクタ１１がセンサ１１３によって検出され、検出信号がセンサ１１３からＣＰＵ１０３に出力される。ＣＰＵ１０３は、センサ１１３から検出信号を入力したら（ステップＳ１１：Ｙｅｓ）、発光制御部１１０を制御して、光源１１１を発光させる（ステップＳ１２）。
【０１３３】
光源１１１から発した励起光は、投光用光ファイバ１４及びレンズ１７によって第二校正用ターゲット３１に投射される。第二校正用ターゲット３１によって励起光が反射される。その反射光は、レンズ１７によって受光用光ファイバ１５の先端に集光されて、受光用光ファイバ１５によって測光部１０７に導光される。投光受光部１２の先端が第二校正用ターゲット３１のすぐ近くに位置しているから、励起光や反射光がほとんど減衰せず、強度の高い反射光が受光用光ファイバ１５の先端に入射する。
【０１３４】
光源１１１が発光した後、ＣＰＵ１０３が測光部１０７に測光処理を行わせる（ステップＳ１３）。測光部１０７によってスペクトルデータや強度データが測定される。
【０１３５】
次に、ＣＰＵ０１０３は、測光部１０７によって測定されたスペクトルデータ及び強度データが適正範囲に含まれるか否かを判断するとともに、測光部１０７によって測定されたスペクトルデータと強度データの両方又は片方から補正係数を演算する（ステップＳ１４）。第二校正用ターゲット３１の色が白色であれば、このような校正処理は、ホワイトバランスの調整を目的とするとともに、プローブ１０、光源１１１及び測光部１０７の個体差や組み合わせに基づくばらつきの調整を目的とする。
【０１３６】
次に、ＣＰＵ１０３は、ステップＳ４における判断結果及び補正係数を入力識別子に対応づけてＲＡＭ１０４に記録する（ステップＳ１５）。
【０１３７】
次に、ＣＰＵ１０３は、インターフェース１１２を介してコンピュータ１１４に表示指令を出力する（ステップＳ１６）。表示指令を受けたコンピュータ１１４は、ストリップ３２を引き抜くことを催促する旨を内容とする画面を表示モニタ１１６に表示させる。これにより、次の取扱作業をユーザーにとって容易に理解することができる。
【０１３８】
次に、ＣＰＵ１０３は、測光部１０７の測定結果が変化するまで待機する（ステップＳ１７：Ｎｏ）。
【０１３９】
一方、ユーザーは、ストリップ３２をスリット５５，７８から引き抜く。ストリップ３２が引き抜かれると、第二校正用ターゲット３１がプローブ１０の投光受光部１２の前から外れ、校正用ターゲット３０がプローブ１０の投光受光部１２の先端に正対する。校正用ターゲット３０の色が黒色であれば、校正用ターゲット３０で励起光がほとんど反射しない。校正用ターゲット３０で励起光が反射したものとしても、投光受光部１２の先端から校正用ターゲット３０までの距離が大きいので、反射光が減衰しやすい。そのため、プローブ１０の投光受光部１２の先端に受光される反射励起光の強度も非常に低い。
【０１４０】
プローブ１０の投光受光部１２の先端に正対するターゲットが第二校正用ターゲット３１から校正用ターゲット３０に代わることで、測光部１０７の測定結果が変化する。そして、ＣＰＵ１０３は、測光部１０７の測定結果の変化を認識したら（ステップＳ１７：Ｙｅｓ）、測光部１０７に測光処理を行わせる（ステップＳ１８）。これにより、測光部１０７によってスペクトルデータや強度データが測定される。
【０１４１】
次に、ＣＰＵ０１０３は、測光部１０７によって測定されたスペクトルデータ及び強度データが適正範囲に含まれるか否かを判断するとともに、測光部１０７によって測定されたスペクトルデータと強度データの両方又は片方から補正係数を演算する（ステップＳ１９）。プローブ１０の投光受光部１２の先端に受光される反射励起光の強度が非常に低いので、ステップＳ１９の校正処理は、プローブ１０のレンズ１７や光ファイバ１４，１５等に由来する迷光の強度や反射ノイズの強度を把握することを目的とする。
【０１４２】
次に、ＣＰＵ１０３は、ステップＳ９における判断結果及び補正係数を入力識別子に対応づけてＲＡＭ１０４に記録する（ステップＳ２０）。
【０１４３】
次に、ＣＰＵ１０３は、インターフェース１１２を介してコンピュータ１１４に表示指令を出力する（ステップＳ２１）。表示指令を受けたコンピュータ１１４は、校正処理が終了した旨を内容とする画面を表示モニタ１１６に表示させる。これにより、ユーザーが校正処理の終了を容易に理解することができる。
そして、ＣＰＵ１０３は、判断結果、補正係数及び入力識別子をＲＭＡ１０４に記憶された状態で、処理を終了する。
【０１４４】
なお、ステップＳ１５の記録処理の終了後、ステップＳ１６の表示処理の前に、ＣＰＵ１０３が発光制御部１１０を制御して、光源１１１から発する励起光の波長を変化させてもよい。その後、ＣＰＵ１０は、上述した測光処理、校正処理及び記録処理を順に再度行った後、表示処理を行う（ステップＳ１６）。ステップＳ２０の記録処理の終了後、ステップＳ２１の表示処理の前の場合についても同様である。
【０１４５】
第一の実施の形態の場合と同様に、図１５に示す処理が終了したら、ＣＰＵ１０３が、ＲＡＭ１０４に記録された入力識別子、判断結果及び補正係数を記録媒体（不揮発性メモリや磁気ディスク等）に記録してもよい。また、図１５に示す処理の途中又は終了後に、ユーザーがコネクタ１１を接続部１０２から取り外した場合、ＣＰＵ１０３がＲＡＭ１０４に記憶された入力識別子、判断結果及び補正係数を消去してもよい。
【０１４６】
以上のようなキャリブレーションが行われた後、第一の実施の形態の場合と同様に、ユーザーがプローブ１０をトレイ７０から取り出して、プローブ１０の投光受光部１２を管腔に挿入し、プローブ１０を用いて生体組織の測定部位を診断する。
【０１４７】
以上の第三の実施の形態によれば、第一の実施の形態によって生じた効果に加えて、次のような効果も生じる。
【０１４８】
(1)  校正用ターゲット３０，３１が先端部収納部７５内に配置されているから、２回のキャリブレーションを行うことができる。
(2)  投光受光部１２及び第二校正用ターゲット３１が予め先端部収納部７５に入れられているから、１回目のキャリブレーションの際に、プローブ１０の投光受光部１２を調整治具等にセットする必要がなく、ユーザーにとって使い勝手がよい。
(3)  投光受光部１２の先端面と第二校正用ターゲット３１の周囲が予め光密に保たれているから、１回目のキャリブレーションの精度が高い上、ユーザーに特段の作業・負担を要求しなくても済む。
(4)  ストリップ３２を引き抜くだけで、２回目のキャリブレーションを行うことができる。
(5)   ストリップ３２を引き抜いても、投光受光部１２の先端面と校正用ターゲット３０の周囲が予め光密に保たれている。そのため、２回目のキャリブレーションも精度が高い。
(6)  表示モニタ１１６に取扱手順が表示されるから、キャリブレーションの順番を間違えずに確実に行える。
【０１４９】
＜第四の実施の形態＞
図１６は、第四の実施の形態における先端部収納部７５の断面図である。第四の実施の形態における診断用プローブ包装物と、第三の実施の形態における診断用プローブ包装物との間で互いに対応する部分には、同一の符号を付す。また、第四の実施の形態の診断用プローブ包装物と第三の実施の形態の診断用プローブ包装物の間で互いに対応する部分は、以下に説明することを除いて、同様に設けられている。
【０１５０】
第四の実施の形態では、ストリップ３２が先端部収納部７５の底、遮光シート４０、カバーシート５１及び遮光材５２を貫通し、第二校正用ターゲット３１がストリップ３２に貼着されている。この点については、第三の実施の形態と同様であるので、詳細な説明を省略する。
【０１５１】
第四の実施の形態では、カバーシート５１の下面にはフラップ５４が形成され、校正用ターゲット３０がフラップ５４に貼着されている。この点については、第二の実施の形態と同様であるので、詳細な説明を省略する。
【０１５２】
第四の実施の形態の診断用プローブ包装物の取扱方法は、第三の実施の形態の診断用プローブ包装物と同様である。
【符号の説明】
【０１５３】
１  診断用プローブ包装物
１０  プローブ
１１  コネクタ
１２  投光受光部
１３  ケーブル本体部１３
３０  校正用ターゲット
３１  第二校正用ターゲット
３２  ストリップ
４０  遮光シート
５０  遮光カバー
５１  カバーシート
５２  遮光材
５３  ストッパ
５４  フラップ
７０  トレイ
７１  トレイ本体
７２  プローブ収納凹部
７３  コネクタ収納部
７４  ケーブル収納部
７５  先端部収納部
７７  ストッパ
９０  包装袋
【図１】
0005655586.tif 000002
【図２】
0005655586.tif 000003
【図３】
0005655586.tif 000004
【図４】
0005655586.tif 000005
【図５】
0005655586.tif 000006
【図６】
0005655586.tif 000007
【図７】
0005655586.tif 000008
【図８】
0005655586.tif 000009
【図９】
0005655586.tif 000010
【図１０】
0005655586.tif 000011
【図１１】
0005655586.tif 000012
【図１２】
0005655586.tif 000013
【図１３】
0005655586.tif 000014
【図１４】
0005655586.tif 000015
【図１５】
0005655586.tif 000016
【図１６】
0005655586.tif 000017